(57)【特許請求の範囲】
【請求項１】
柱部及び仕口部の少なくとも一方を有するプレキャストコンクリート製の第１ＰＣ部材と、柱部及び仕口部の少なくとも一方を有し、横方向に移動させることにより梁部に接続されると共に、前記第１ＰＣ部材の上側に建て込まれるプレキャストコンクリート製の第２ＰＣ部材との接合方法であって、
前記第１ＰＣ部材は、柱主筋を挿通させるための縦方向の第１貫通孔が設けられると共に、該第１貫通孔に第１機械式継手が設けられ、柱主筋が一体化されておらず、
前記第２ＰＣ部材は、柱主筋を挿通させるための縦方向の第２貫通孔が設けられると共に、該第２貫通孔に第２機械式継手が設けられ、柱主筋が一体化されておらず、
前記第１ＰＣ部材を、その下のＰＣ部材から上方に突出した柱主筋の上端が前記第１機械式継手の内に位置するように建て込んだ後、前記第２ＰＣ部材を、横方向に移動させることにより前記梁部に接続させると共に前記第１ＰＣ部材の上側に建て込み、その後、柱主筋を、下端が前記第１機械式継手に挿し込まれ、上端が前記第２機械式継手の内に位置するように、前記第２貫通孔の上端からその下方の孔内に挿通させ、
前記第１機械式継手と、前記第１機械式継手と前記第２機械式継手との間の孔内とに、グラウトを充填するＰＣ部材の接合方法。
【請求項２】
前記第１ＰＣ部材と前記第２ＰＣ部材とを、前記柱主筋を挿通させるための縦方向の貫通孔が形成されたプレキャストコンクリート製の第３ＰＣ部材を介して接合する請求項１に記載のＰＣ部材の接合方法。
【請求項３】
前記第１ＰＣ部材及び前記第２ＰＣ部材では、下部に前記機械式継手が設けられている請求項１に記載のＰＣ部材の接合方法。
【請求項４】
前記第１ＰＣ部材及び前記第２ＰＣ部材では、上部に前記機械式継手が設けられている請求項１に記載のＰＣ部材の接合方法。
【請求項５】
柱部及び仕口部の少なくとも一方を有するプレキャストコンクリート製の第１ＰＣ部材と、柱部及び仕口部の少なくとも一方を有し、梁部に接続されると共に、前記第１ＰＣ部材の上側に建て込まれたプレキャストコンクリート製の第２ＰＣ部材との接合構造であって、
前記第１ＰＣ部材は、柱主筋を挿通させるための縦方向の第１貫通孔が設けられると共に、該第１貫通孔に第１機械式継手が設けられ、柱主筋が一体化されておらず、
前記第２ＰＣ部材は、柱主筋を挿通させるための縦方向の第２貫通孔が設けられると共に、該第２貫通孔に第２機械式継手が設けられ、柱主筋が一体化されておらず、
前記第１ＰＣ部材が、その下のＰＣ部材から上方に突出した柱主筋の上端が前記第１機械式継手の内に位置するように建て込まれた後、前記第２ＰＣ部材が、横方向に移動されることにより前記梁部に接続されると共に前記第１ＰＣ部材の上側に建て込まれ、その後、柱主筋が、下端が前記第１機械式継手に挿し込まれ、上端が前記第２機械式継手の内に位置するように、前記第２貫通孔の上端からその下方の孔内に挿通され、
前記第１機械式継手と、前記第１機械式継手と前記第２機械式継手との間の孔内とに、グラウトが充填されているＰＣ部材の接合構造。
【請求項６】
前記第１ＰＣ部材と前記第２ＰＣ部材とが、前記柱主筋を挿通させるための縦方向の貫通孔が形成されたプレキャストコンクリート製の第３ＰＣ部材を介して接合されている請求項５に記載のＰＣ部材の接合構造。
【発明の詳細な説明】
【技術分野】
【０００１】
本発明は、プレキャストコンクリート（以下、ＰＣという）部材を接合する方法、及び構造に関する。
【背景技術】
【０００２】
ＰＣ梁と上下階のＰＣ柱とを接合するＰＣ部材の接合方法として、柱主筋及び梁主筋をそれぞれ挿通させるための縦方向の貫通孔及び横方向の貫通孔が形成されたＰＣ仕口部を用いる方法が知られている（例えば、特許文献１参照）。当該方法では、ＰＣ柱及び下階のＰＣ梁を建て込んだ後に、ＰＣ仕口部を横方向にスライド移動させて建て込み、その後、柱主筋や梁主筋を、ＰＣ仕口部の貫通孔を通してＰＣ梁と下階のＰＣ柱のそれぞれの継手に挿入する。その後、上階のＰＣ梁をＰＣ仕口部の上に建て込む。これにより、現場でのコンクリート打設を要することなく、ＰＣ梁と上下階のＰＣ柱とを接合できる。
【先行技術文献】
【特許文献】
【０００３】
【特許文献１】特開２００６―２２４９４号公報
【発明の概要】
【発明が解決しようとする課題】
【０００４】
特許文献１に記載のＰＣ部材の接合方法では、ＰＣ仕口部の上面から柱主筋が突出していることから、その上のＰＣ柱については下降させてＰＣ仕口部の上に建て込まなければならず、その結果、ＰＣ柱とは別体のＰＣ仕口部を用いることを強いられている。従って、架構の構成の自由度が損なわれている。
【０００５】
本発明は、上記事情に鑑みてなされたものであり、現場でのコンクリート打設を不要にできると共に、架構の構成の自由度を高めることができる、ＰＣ部材の接合方法、及び構造を提供するものである。
【課題を解決するための手段】
【０００６】
上記課題を解決するために、本発明に係るＰＣ部材の接合方法は、柱部及び仕口部の少なくとも一方を有するプレキャストコンクリート製の第１ＰＣ部材と、柱部及び仕口部の少なくとも一方を有し、横方向に移動させることにより梁部に接続されると共に、前記第１ＰＣ部材の上側に建て込まれるプレキャストコンクリート製の第２ＰＣ部材との接合方法であって、前記第１ＰＣ部材は、柱主筋を挿通させるための縦方向の第１貫通孔が設けられると共に、該第１貫通孔に第１機械式継手が設けられ、柱主筋が一体化されておらず、前記第２ＰＣ部材は、柱主筋を挿通させるための縦方向の第２貫通孔が設けられると共に、該第２貫通孔に第２機械式継手が設けられ、柱主筋が一体化されておらず、前記第１ＰＣ部材を、その下のＰＣ部材から上方に突出した柱主筋の上端が前記第１機械式継手の内に位置するように建て込んだ後、前記第２ＰＣ部材を、横方向に移動させることにより前記梁部に接続させると共に前記第１ＰＣ部材の上側に建て込み、その後、柱主筋を、下端が前記第１機械式継手に挿し込まれ、上端が前記第２機械式継手の内に位置するように、前記第２貫通孔の上端からその下方の孔内に挿通させ、前記第１機械式継手と、前記第１機械式継手と前記第２機械式継手との間の孔内とに、グラウトを充填する。
【０００７】
上記ＰＣ部材の接合方法において、前記第１ＰＣ部材と前記第２ＰＣ部材とを、前記柱主筋を挿通させるための縦方向の貫通孔が形成されたプレキャストコンクリート製の第３ＰＣ部材を介して接合してもよい。
【０００９】
また、上記ＰＣ部材の接合方法において、前記第１ＰＣ部材及び前記第２ＰＣ部材では、下部に前記機械式継手が設けられてもよい。
また、上記ＰＣ部材の接合方法において、前記第１ＰＣ部材及び前記第２ＰＣ部材では、上部に前記機械式継手が設けられてもよい。
【００１０】
また、上記課題を解決するために、本発明に係るＰＣ部材の接合構造は、柱部及び仕口部の少なくとも一方を有するプレキャストコンクリート製の第１ＰＣ部材と、柱部及び仕口部の少なくとも一方を有し、梁部に接続されると共に、前記第１ＰＣ部材の上側に建て込まれたプレキャストコンクリート製の第２ＰＣ部材との接合構造であって、前記第１ＰＣ部材は、柱主筋を挿通させるための縦方向の第１貫通孔が設けられると共に、該第１貫通孔に第１機械式継手が設けられ、柱主筋が一体化されておらず、前記第２ＰＣ部材は、柱主筋を挿通させるための縦方向の第２貫通孔が設けられると共に、該第２貫通孔に第２機械式継手が設けられ、柱主筋が一体化されておらず、前記第１ＰＣ部材が、その下のＰＣ部材から上方に突出した柱主筋の上端が前記第１機械式継手の内に位置するように建て込まれた後、前記第２ＰＣ部材が、横方向に移動されることにより前記梁部に接続されると共に前記第１ＰＣ部材の上側に建て込まれ、その後、柱主筋が、下端が前記第１機械式継手に挿し込まれ、上端が前記第２機械式継手の内に位置するように、前記第２貫通孔の上端からその下方の孔内に挿通され、前記第１機械式継手と、前記第１機械式継手と前記第２機械式継手との間の孔内とに、グラウトが充填されている。
【００１１】
上記ＰＣ部材の接合構造において、前記第１ＰＣ部材と前記第２ＰＣ部材とが、前記柱主筋を挿通させるための縦方向の貫通孔が形成されたプレキャストコンクリート製の第３ＰＣ部材を介して接合されてもよい。
【発明の効果】
【００１３】
上記ＰＣ部材の接合方法、及び構造によれば、現場でのコンクリート打設を不要にできると共に、架構の構成の自由度を高めることができる。
【図面の簡単な説明】
【００１４】
【図１】一実施形態に係るＰＣ部材の接合方法を用いて構築された架構を示す分解立面断面図である。
【図２】一実施形態に係るＰＣ部材の接合方法を用いて構築された架構を示す立面断面図である。
【図３】一実施形態に係るＰＣ部材の接合方法を用いて構築された架構を拡大して示す立面断面図である。
【図４】他の実施形態に係るＰＣ部材の接合方法を用いて構築された架構を示す分解立面断面図である。
【図５】他の実施形態に係るＰＣ部材の接合方法を用いて構築された架構を示す立面断面図である。
【図６】他の実施形態に係るＰＣ部材の接合方法を用いて構築された架構を拡大して示す立面断面図である。
【図７】他の実施形態に係るＰＣ部材の接合方法を用いて構築された架構を示す分解立面断面図である。
【図８】他の実施形態に係るＰＣ部材の接合方法を用いて構築された架構を示す立面断面図である。
【図９】他の実施形態に係るＰＣ部材の接合方法を用いて構築された架構を示す分解立面断面図である。
【図１０】他の実施形態に係るＰＣ部材の接合方法を用いて構築された架構を示す立面断面図である。
【図１１】他の実施形態に係るＰＣ部材の接合方法を用いて構築された架構を示す分解立面断面図である。
【図１２】他の実施形態に係るＰＣ部材の接合方法を用いて構築された架構を示す立面断面図である。
【発明を実施するための形態】
【００１５】
以下、本発明の一実施形態を、図面を参照しながら説明する。図１は、一実施形態に係るＰＣ部材の接合方法を用いて構築された架構１０を示す分解立面断面図である。また、図２は、架構１０を示す立面断面図である。これらの図に示すように、架構１０は、建物最外部に配置されるＰＣ柱２０と、建物内側に配置されるＰＣ柱３０と、各階のＰＣ柱２０及びＰＣ柱３０を接合するＰＣ梁４０とを備えている。上階のＰＣ柱２０は、下階のＰＣ柱２０の上に建て込まれる。また、上階のＰＣ柱３０は、下階のＰＣ柱３０の上に建て込まれる。
【００１６】
ＰＣ梁４０は、架構１０のスパン長に亘る長さを有しており、梁主筋４２が埋設されている。この梁主筋４２の一端側は、ＰＣ梁４０の一端面から突出している。また、ＰＣ梁４０の他端側には、梁主筋孔４４が、梁主筋４２と同軸に形成され、この梁主筋孔４４の奥部にはモルタルを充填するスリーブ式の機械式継手（以下、スリーブ継手という）４６が埋設されている。このスリーブ継手４６には、梁主筋４２の他端が挿入されている。なお、梁主筋孔４４にはシース管が埋設されているが必須ではない。
【００１７】
ＰＣ柱３０には、柱主筋３２が埋設されている。この柱主筋３２の上端は、ＰＣ柱３０の上端面から突出している。また、ＰＣ柱３０の下端には、スリーブ継手３６が埋設されている。このスリーブ継手３６は、柱主筋３２と同軸に配されており、柱主筋３２の下端がスリーブ継手３６に挿入されている。また、ＰＣ柱３０には、水平方向に貫通する梁主筋孔３４が、梁主筋４２と同軸に形成されている。なお、梁主筋孔３４にはシース管が埋設されているが必須ではない。また、スリーブ継手３６の下端は、ＰＣ柱３０の下端面に対して面一となっているが必須ではなく、ＰＣ柱３０の下端面より上側又は下側に位置していてもよい。
【００１８】
上下のＰＣ柱３０は、下側のＰＣ柱３０の上端面から突出する柱主筋３２が、上側のＰＣ柱３０の下端のスリーブ継手３６に挿入された状態で組み合わされている。また、上下のＰＣ柱３０の間の目地、及びスリーブ継手３６にグラウトが充填されている。これにより、上下の柱主筋３２がスリーブ継手３６により継手され、上下のＰＣ柱３０が接合されている。
【００１９】
ＰＣ柱３０とその左右両側の一対のＰＣ梁４０とは、一方（図中右側）のＰＣ梁４０から突出する梁主筋４２が、ＰＣ柱３０の梁主筋孔３４を貫通して、他方（図中左側）のＰＣ梁４０のスリーブ継手４６に挿入された状態で組み合わされている。また、ＰＣ柱３０とＰＣ梁４０との間の目地、梁主筋孔３４、４４、及びスリーブ継手４６にグラウトが充填されている。これにより、梁主筋４２がＰＣ梁４０及びＰＣ柱３０に定着されると共に、左右の梁主筋４２がスリーブ継手４６により継手されている。また、ＰＣ柱３０とその左右両側のＰＣ梁４０とが接合されている。
【００２０】
ＰＣ柱２０には、接続用鉄筋２１が埋設されている。この接続用鉄筋２１の一端は、ＰＣ柱２０の側面から突出している。また、ＰＣ柱２０は、鉛直方向に貫通する柱主筋孔２４が形成され、柱主筋孔２４の下端にはスリーブ継手２６が埋設されている。なお、柱主筋孔２４にはシース管が埋設されているが必須ではない。また、スリーブ継手２６の下端は、ＰＣ柱２０の下端面に対して面一となっているが必須ではなく、ＰＣ柱２０の下端面より上側又は下側に位置していてもよい。
【００２１】
ＰＣ柱２０とＰＣ梁４０とは、ＰＣ柱２０から突出する接続用鉄筋２１が、ＰＣ梁４０のスリーブ継手４６に挿入された状態で組み合わされている。また、ＰＣ柱２０とＰＣ梁４０との間の目地、梁主筋孔４４、及びスリーブ継手４６にグラウトが充填されている。これにより、接続用鉄筋２１が、ＰＣ梁４０に定着されると共に、梁主筋４２とスリーブ継手４６により継手されている。また、ＰＣ柱２０とＰＣ梁４０とが接合されている。
【００２２】
上下階のＰＣ柱２０は、各ＰＣ柱２０と同程度の長さの柱主筋２２が、下階のＰＣ柱２０の柱主筋孔２４に挿通された状態で組み合わされている。ここで、柱主筋２２の下端は、下階のＰＣ柱２０のスリーブ継手２６内に位置し、柱主筋２２の上端は、上階のＰＣ柱２０のスリーブ継手２６内に位置している。また、下階のＰＣ柱２０のさらに下のＰＣ柱２０から突出した柱主筋２２の上端が、下階のＰＣ柱２０の下端のスリーブ継手２６内に位置している。
【００２３】
また、下階のＰＣ柱２０とその下のＰＣ柱２０との間の目地、下階のＰＣ柱２０のスリーブ継手２６及び柱主筋孔２４にグラウトが充填されている。これにより、柱主筋２２が下階のＰＣ柱２０に定着されると共に、その下のＰＣ柱２０に定着された柱主筋２２と下階のＰＣ柱２０の下端のスリーブ継手２６により継手されている。また、下階のＰＣ柱２０とその下のＰＣ柱２０とが接合されている。
【００２４】
以上のような構成の架構１０におけるＰＣ柱３０とＰＣ梁４０とＰＣ柱２０との接合方法について説明する。図１に示すように、建物内側では、ＰＣ梁４０を建て込んだ後、上階のＰＣ柱３０を、下降させて下階のＰＣ柱３０の上に建て込む。この際、下階のＰＣ柱３０の上端面から突出した柱主筋３２を、上階のＰＣ柱３０の下端に埋設されたスリーブ継手３６内に配置する。
【００２５】
その後、上階のＰＣ梁４０を、建て込み済みの上階のＰＣ柱３０の外側に建て込む。この際、該ＰＣ梁４０を水平方向にスライドさせ、該ＰＣ梁４０の端面から突出した梁主筋４２を、上階のＰＣ柱３０の梁主筋孔３４、上階のＰＣ梁４０の梁主筋孔４４に貫通させて、その奥側のスリーブ継手４６に挿入する。
【００２６】
次に、建物最外部において、上階のＰＣ柱２０を、建て込み済みの下階のＰＣ柱２０の上、且つ、建て込み済みの上階のＰＣ梁４０の外側に建て込む。この際、下階のＰＣ柱２０の柱主筋孔２４に柱主筋２２を挿入していない状態で、上階のＰＣ柱２０を水平方向にスライドさせ、上階のＰＣ柱２０の側面から突出した接続用鉄筋２１を、上階のＰＣ梁４０の梁主筋孔４４に貫通させて、その奥側のスリーブ継手４６に挿入する。
【００２７】
そして、柱主筋２２を、上階のＰＣ柱２０の柱主筋孔２４を通して、下階のＰＣ柱２０の柱主筋孔２４に挿通させる。この際、柱主筋２２の下端を、下階のＰＣ柱２０のスリーブ継手２６内に配置し、柱主筋２２の上端を、下階のＰＣ柱２０から突出させて上階のＰＣ柱２０の下端のスリーブ継手２６内に配置する。
【００２８】
次に、図３に示すように、下階のＰＣ柱２０とそのさらに下のＰＣ柱２０とを接合し、上階のＰＣ柱２０と上階のＰＣ梁４０とを接合する。また、図示は省略しているが、上階のＰＣ柱３０と下階のＰＣ柱３０とを接合し、上階のＰＣ柱３０とその両側のＰＣ梁４０とを接合する。上下のＰＣ柱３０同士、及び、ＰＣ柱３０とその両側のＰＣ梁４０との接合方法は次のとおりである。
【００２９】
上下のＰＣ柱３０の間の目地の外周をシールした状態で、該目地に連通されたグラウト注入口から該目地にグラウトを圧入し、該目地、及びスリーブ継手３６にグラウトを充填して硬化させる。これにより、上下の柱主筋３２がスリーブ継手３６により継手され、上下のＰＣ柱３０同士が接合される。
【００３０】
また、ＰＣ柱３０とその両側のＰＣ梁４０との間の目地の外周をシールした状態で、ＰＣ梁４０のスリーブ継手４６に連通されたグラウト注入口からスリーブ継手４６にグラウトを圧入し、スリーブ継手４６、梁主筋孔４４、３４及び部材間の目地にグラウトを充填して硬化させる。これにより、一方のＰＣ梁４０から突出する梁主筋４２が、他方のＰＣ梁４０及びＰＣ柱３０に定着される。また、一方のＰＣ梁４０から突出した梁主筋４２と、他方のＰＣ柱４０に埋設された梁主筋４２とがスリーブ継手４６により継手される。また、ＰＣ柱３０とその両側のＰＣ梁４０とが接合される。
【００３１】
また、ＰＣ柱２０とＰＣ梁４０との接合方法は次のとおりである。ＰＣ柱２０とＰＣ梁４０との間の目地４９の外周をシールした状態で、ＰＣ梁４０のスリーブ継手４６に連通されたグラウト注入口からスリーブ継手４６にグラウトを圧入し、スリーブ継手４６、梁主筋孔４４及び部材間の目地４９にグラウト（図中ハッチングで示す）を充填して硬化させる。これにより、ＰＣ柱２０から突出した接続用鉄筋２１がＰＣ梁４０に定着される。また、ＰＣ柱２０から突出した接続用鉄筋２１と、ＰＣ梁４０に埋設された梁主筋４２とがスリーブ継手４６により継手される。また、ＰＣ柱２０とＰＣ梁４０とが接合される。
【００３２】
そして、上下のＰＣ柱２０同士の接合方法は次のとおりである。なお、柱主筋２２を挿入した下階のＰＣ柱２０のさらに下のＰＣ柱２０では、柱主筋孔２４の上端までグラウトが充填されており、該ＰＣ柱２０の柱主筋孔２４に挿入されている柱主筋２２は、該ＰＣ柱２０に定着されている。
【００３３】
柱主筋２２を挿入した下階及びその下のＰＣ柱２０の間の目地２９に連通されたグラウト注入口から、該目地２９にグラウトを圧入し、該目地２９、その上のスリーブ継手２６及び柱主筋孔２４にグラウト（図中ハッチングで示す）を充填して硬化させる。これにより、下階のＰＣ柱２０の柱主筋孔２４に挿入された柱主筋２２が、該ＰＣ柱２０に定着される。また、下階及びその下のＰＣ柱２０に定着された柱主筋２２同士が、下階のＰＣ柱２０の下端のスリーブ継手２６により継手される。また、下階及びその下のＰＣ柱２０同士が接合される。なお、上階及び下階のＰＣ柱２０同士の接合は、上階のＰＣ柱２０の上にさらにＰＣ柱２０を建て込んだ後に、上述した方法により行う。
【００３４】
以上、本実施形態に係るＰＣ部材の接合方法では、ＰＣ柱２０に、柱主筋２２を挿入するための縦方向の貫通孔である柱主筋孔２４と、柱主筋２２を継手するためのスリーブ継手２６とを設け、該ＰＣ柱２０を上下に組み合わせる。この際、柱主筋２２を、下階のＰＣ柱２０のスリーブ継手２６内に下端が位置し、上階のＰＣ柱２０のスリーブ継手２６内に上端が位置するように、上下階のＰＣ柱２０のスリーブ継手２６の間の柱主筋孔２４に挿入する。そして、下階のＰＣ柱２０のスリーブ継手２６と、柱主筋２２を挿通させた下階のＰＣ柱２０の柱主筋孔２４とにグラウトを充填して硬化させる。
【００３５】
ここで、上階のＰＣ柱２０を建て込む際、下階のＰＣ柱２０の上端面から柱主筋２２が突出していないため、上階のＰＣ柱２０を横方向にスライドさせて、上階のＰＣ柱２０から横方向に突出した接続用鉄筋２１を、上階のＰＣ梁４０のスリーブ継手４６に挿入することができる。これによって、現場でコンクリートを打設したり、仕口部と柱部とを別体にしたりすることなく、上下階のＰＣ柱２０とＰＣ梁４０とを接合することができる。
【００３６】
また、本実施形態に係るＰＣ部材の接合方法では、ＰＣ柱２０の下端（下部）にスリーブ継手２６を埋設している。ここで、スリーブ継手２６を、柱主筋孔２４の上端や中間部に埋設している場合には、柱主筋孔２４にグラウトを充填する際、該スリーブ継手２６の下端近傍でグラウトの上昇を止めなければならず、その作業は容易ではない。これに対して、本実施形態では、ＰＣ柱２０の柱主筋孔２４の上端までグラウトを充填すればよく、ＰＣ柱２０の上端面にグラウトが出てくるまでグラウトの充填を続ければよいことから、その作業は容易である。
【００３７】
図４は、他の実施形態に係るＰＣ部材の接合方法を用いて構築された架構１００を示す分解立面断面図である。また、図５は、架構１００を示す立面断面図である。なお、架構１００において、上述の実施形態に係る架構と同様の構成には同一の符号を付し、説明は省略する。
【００３８】
架構１００は、上述の実施形態に係る架構１０のＰＣ柱２０に替えてＰＣ柱１２０を備えている。ＰＣ柱１２０には、接続用鉄筋２１が埋設されている。この接続用鉄筋２１の一端は、ＰＣ柱１２０の側面から突出している。また、ＰＣ柱１２０は、鉛直方向に貫通する柱主筋孔２４が形成され、柱主筋孔２４の上端にはスリーブ継手１２６が埋設されている。なお、スリーブ継手１２６の上端は、ＰＣ柱１２０の上端面に対して面一となっているが必須ではなく、ＰＣ柱１２０の上端面より上側又は下側に位置していてもよい。
【００３９】
ＰＣ柱１２０とＰＣ梁４０とは、ＰＣ柱２０から突出する接続用鉄筋２１が、ＰＣ梁４０のスリーブ継手４６に挿入された状態で組み合わされる。また、ＰＣ柱１２０とＰＣ梁４０との間の目地、梁主筋孔４４、及びスリーブ継手４６にグラウトが充填されており、接続用鉄筋２１がＰＣ梁４０に定着されている。また、接続用鉄筋２１と梁主筋４２とがスリーブ継手４６により継手されている。また、ＰＣ柱１２０とＰＣ梁４０とが接合されている。
【００４０】
上下階のＰＣ柱１２０は、各ＰＣ柱１２０と同程度の長さの柱主筋２２が、上階のＰＣ柱１２０の柱主筋孔２４に挿通された状態で組み合わされている。ここで、柱主筋２２の下端は、上階のＰＣ柱１２０から突出して下階のＰＣ柱１２０のスリーブ継手２６内に位置し、柱主筋２２の上端は、上階のＰＣ柱１２０のスリーブ継手２６内に位置している。
【００４１】
また、上下階のＰＣ柱１２０の間の目地、下階のＰＣ柱１２０のスリーブ継手１２６、及び上階のＰＣ柱２０の柱主筋穴２４にグラウトが充填されている。これにより、柱主筋２２が上階のＰＣ柱１２０に定着されている。また、上下階の柱主筋２２同士が、下階のＰＣ柱１２０のスリーブ継手１２６により継手されている。また、上下階のＰＣ柱１２０同士が接合されている。
【００４２】
以上のような構成の架構１００におけるＰＣ柱３０とＰＣ梁４０とＰＣ柱１２０との接合方法について説明する。図４に示すように、建物内側では、上述の実施形態に係る架構１０と同様の方法により、ＰＣ梁４０を建て込んだ後、上階のＰＣ柱３０を下階のＰＣ柱３０の上に建て込み、ＰＣ梁４０を、建て込み済みの上階のＰＣ柱３０の外側に建て込む。
【００４３】
次に、建物最外部において、上階のＰＣ柱１２０を、建て込み済みの下階のＰＣ柱１２０の上、且つ、建て込み済みの上階のＰＣ梁４０の外側に建て込む。この際、下階のＰＣ柱１２０の柱主筋孔２４に柱主筋２２を挿入した状態で、上階のＰＣ柱１２０を水平方向にスライドさせ、上階のＰＣ柱１２０の側面から突出した接続用鉄筋２１を、上階のＰＣ梁４０の梁主筋孔４４に貫通させて、その奥側のスリーブ継手４６に挿入する。
【００４４】
そして、柱主筋２２を、上階のＰＣ柱１２０の柱主筋孔２４に挿し込む。この際、柱主筋２２の下端を、上階のＰＣ柱１２０から突出させて下階のＰＣ柱１２０の上端のスリーブ継手１２６内に配置し、柱主筋２２の上端を、上階のＰＣ柱１２０の上端のスリーブ継手１２６内に配置する。
【００４５】
次に、図６に示すように、上下階のＰＣ柱１２０同士を接合し、上階のＰＣ柱１２０と上階のＰＣ梁４０とを接合する。また、図示は省略しているが、上述の実施形態に係る架構１０と同様の方法で、上下階のＰＣ柱３０同士を接合し、上階のＰＣ柱３０とその両側のＰＣ梁４０とを接合する。
【００４６】
ＰＣ柱１２０とＰＣ梁４０との接合方法は、上述の実施形態におけるＰＣ柱２０とＰＣ梁４０との接合方法と同様である。そして、上下階のＰＣ柱１２０同士の接合方法は次のとおりである。なお、下階のＰＣ柱１２０の柱主筋孔２４では、スリーブ継手１２６の下端近傍までグラウトが充填されており、下階のＰＣ柱１２０の柱主筋孔２４に挿入されている柱主筋２２は、該ＰＣ柱１２０に定着されている。
【００４７】
上階のＰＣ柱１２０と下階のＰＣ柱１２０との間の目地１２９に連通されたグラウト注入口から、該目地１２９にグラウトを圧入し、該目地１２９、その下のスリーブ継手１２６及び、その上の柱主筋孔２４にグラウト（図中ハッチングで示す）を充填して硬化させる。この際、グラウトは、上階のＰＣ柱１２０のスリーブ継手１２６の下端近傍まで充填する。これにより、上階のＰＣ柱１２０の柱主筋孔２４に挿通された柱主筋２２が、該ＰＣ柱１２０に定着されると共に、下階のＰＣ柱２０に既に定着されている柱主筋２２と、下階のＰＣ柱１２０の上端のスリーブ継手１２６により継手される。また、上下階のＰＣ柱１２０同士が接合される。
【００４８】
以上、本実施形態に係るＰＣ部材の接合方法では、ＰＣ柱１２０に、柱主筋２２を挿入するための縦方向の貫通孔である柱主筋孔２４と、柱主筋２２を継手するためのスリーブ継手１２６とを設け、該ＰＣ柱１２０を上下に組み合わせる。この際、柱主筋２２を、下階のＰＣ柱１２０のスリーブ継手１２６内に下端が位置し、上階のＰＣ柱１２０のスリーブ継手１２６内に上端が位置するように、上下階のＰＣ柱１２０のスリーブ継手１２６の間の柱主筋孔２４に挿通させる。そして、下階のＰＣ柱１２０のスリーブ継手１２６と、柱主筋２２を挿通させた上階のＰＣ柱１２０の柱主筋孔２４とにグラウトを充填して硬化させる。
【００４９】
ここで、上階のＰＣ柱１２０を建て込む際、下階のＰＣ柱１２０の上端面から柱主筋２２が突出していないため、上階のＰＣ柱１２０を横方向にスライドさせて、上階のＰＣ柱１２０から横方向に突出した接続用鉄筋２１を、上階のＰＣ梁４０のスリーブ継手４６に挿入することができる。これによって、現場でコンクリートを打設したり、仕口部と柱部とを別体にしたりすることなく、上下階のＰＣ柱１２０とＰＣ梁４０とを接合することができる。
【００５０】
また、本実施形態に係るＰＣ部材の接合方法では、ＰＣ柱１２０の上端（上部）にスリーブ継手１２６を埋設している。ここで、スリーブ継手１２６を、柱主筋孔２４の下端や中間部に埋設している場合には、柱主筋２２を、上階のＰＣ柱１２０の柱主筋孔２４を通して下階のＰＣ柱１２０の柱主筋孔２４まで挿入しなければならず、柱主筋２２を奥側まで挿し込むための冶工具が必要になり、また、作業が煩雑になる。これに対して、本実施形態では、柱主筋２２を、上階のＰＣ柱１２０の柱主筋孔２４に挿入すればよいことから、上記冶工具は不要であり、また、作業が容易である。
【００５１】
図７は、他の実施形態に係るＰＣ部材の接合方法を用いて構築された架構２００を示す分解立面断面図である。また、図８は、架構２００を示す立面断面図である。なお、架構２００において、上述の各実施形態に係る架構と同様の構成には同一の符号を付し、説明は省略する。
【００５２】
架構２００は、左右のＰＣ梁２４０と、左右のＰＣ梁２４０と上下のＰＣ柱２２０との間に配されるＰＣ部材２３０を備えている。ＰＣ部材２３０は、仕口部２３０Ａと、その上下に設けられた柱部２３０Ｂ、２３０Ｃと、仕口部２３０Ａの左右に設けられた梁部２３０Ｄ、２３０Ｅとが一体化された構成をしている。ＰＣ部材２３０の下端から上端までの長さは、ＰＣ柱２２０の下端から上端までの長さと同一である。
【００５３】
ＰＣ部材２３０は、梁主筋２４２が埋設されている。この梁主筋２４２の一端側は、梁部２３０Ｄの端面から突出している。また、梁部２３０Ｅの端部には、スリーブ継手２４６が埋設されている。このスリーブ継手２４６には、梁主筋２４２の他端が挿入されている。
【００５４】
また、ＰＣ部材２３０は、鉛直方向に貫通する柱主筋孔２３４が形成され、柱主筋孔２３４の下端にはスリーブ継手２３６が埋設されている。なお、柱主筋孔２３４にはシース管が埋設されているが必須ではない。また、スリーブ継手２３６の下端は、柱部２３０Ｃの下端面に対して面一となっているが必須ではなく、柱部２３０Ｃの下端面より上側又は下側に位置していてもよい。
【００５５】
ＰＣ梁２４０は、梁主筋４２が埋設されている。この梁４２の一端側は、ＰＣ梁２４０の一端から突出している。また、ＰＣ梁２４０の他端には、スリーブ継手４６が埋設されている。このスリーブ継手４６には、梁主筋４２の他端が挿入されている。
【００５６】
ＰＣ部材２３０と左右のＰＣ梁２４０とは、梁部２３０Ｄから突出する梁主筋２４２が、一方（図中左側）のＰＣ梁２４０のスリーブ継手４６に挿入され、他方（図中右側）のＰＣ梁２４０から突出する梁主筋４２が、梁部２３０Ｅのスリーブ継手２４６に挿入された状態で組み合わされる。
【００５７】
また、一方のＰＣ梁２４０と梁部２３０Ｄとの間の目地、当該ＰＣ梁２４０のスリーブ継手４６にグラウトが充填されている。これにより、梁部２３０Ｄから突出する梁主筋２４２が、ＰＣ梁２４０に定着されると共に、一方のＰＣ梁２４０に埋設された梁主筋４２と継手されている。また、ＰＣ部材２３０と一方のＰＣ梁２４０とが接合されている。また、他方のＰＣ梁２４０と梁部２３０Ｅとの間の目地、梁部２２０Ｅのスリーブ継手２４６にグラウトが充填されている。これにより、他方のＰＣ梁２４０から突出した梁主筋４２が、ＰＣ部材２３０に定着されると共に、ＰＣ部材２３０に埋設された梁主筋２４２と継手されている。また、ＰＣ部材２３０と他方のＰＣ梁２４０とが接合されている。
【００５８】
また、ＰＣ部材２３０とその下のＰＣ柱２２０とは、柱主筋２２がＰＣ柱２２０の柱主筋孔２４に挿通された状態で組み合わされている。ここで、柱主筋２２の上端は、ＰＣ部材２３０の下端のスリーブ継手２３６内に位置し、柱主筋２２の下端は、ＰＣ柱２２０の下端のスリーブ継手２６内に位置している。
【００５９】
また、上階のＰＣ柱２２０とその下のＰＣ部材２３０との間の目地、上階のＰＣ柱２２０の柱主筋孔２４及びスリーブ継手２６にグラウトが充填されている。これにより、柱主筋２２が上階のＰＣ柱２２０に定着されている。また、上階のＰＣ柱２２０に定着された柱主筋２２と、その下のＰＣ部材２３０に定着された柱主筋２２とが、上階のＰＣ柱２２０の下端のスリーブ継手２６により継手されている。また、上階のＰＣ柱２２０とその下のＰＣ柱２３０とが接合されている。
【００６０】
以上のような構成の架構２００におけるＰＣ部材２３０と左右のＰＣ梁２４０と上下のＰＣ柱２２０との接合方法について説明する。図７に示すように、一方（図中左側）のＰＣ梁２４０及びＰＣ部材２３０の下のＰＣ柱２２０を建て込んだ後、ＰＣ部材２３０をＰＣ柱２２０の上に建て込み、他方（図中右側）のＰＣ梁２４０を、建て込み済みのＰＣ部材２３０の図中右側に建て込む。
【００６１】
この際、ＰＣ柱２２０の柱主筋孔２４に柱主筋２２を挿入していない状態で、ＰＣ部材２３０を水平方向にスライドさせ、梁部２３０Ｄから突出した梁主筋２４２を、一方のＰＣ梁２４０のスリーブ継手４６に挿入する。また、他方のＰＣ梁２４０を水平方向にスライドさせ、該ＰＣ梁２４０から突出した梁主筋４２を、梁部２３０Ｅのスリーブ継手２４６に挿入する。
【００６２】
そして、柱主筋２２を、ＰＣ部材２３０の柱主筋孔２３４を通して、その下のＰＣ柱２２０の柱主筋孔２４に挿し込む。この際、柱主筋２２の下端を、ＰＣ柱２２０の下端のスリーブ継手２６内に配置し、柱主筋２２の上端を、ＰＣ柱２２０から突出させてＰＣ部材２３０の下端のスリーブ継手２３６内に配置する。
【００６３】
次に、ＰＣ部材２３０と左右のＰＣ梁２４０とを接合する。ＰＣ部材２３０と図中左側のＰＣ梁２４０との接合方法は次のとおりである。梁部２３０ＤとＰＣ梁２４０との間の目地の外周をシールした状態で、ＰＣ梁２４０のスリーブ継手４６に連通されたグラウト注入口からスリーブ継手４６にグラウトを圧入し、スリーブ継手４６及び部材間の目地にグラウトを充填して硬化させる。これにより、梁部２３０Ｄから突出した梁主筋２４２が、ＰＣ梁２４０に定着されると共に、ＰＣ梁２４０に埋設された梁主筋４２とスリーブ継手４６により継手される。また、ＰＣ部材２３０と図中左側のＰＣ梁２４０とが接合される。
【００６４】
また、ＰＣ部材２３０と図中右側のＰＣ梁２４０との接合方法は次のとおりである。梁部２３０ＥとＰＣ梁２４０との間の目地の外周をシールした状態で、梁部２３０Ｅのスリーブ継手２４６に連通されたグラウト注入口からスリーブ継手２４６にグラウトを圧入し、スリーブ継手２４６及び部材間の目地にグラウトを充填して硬化させる。これにより、ＰＣ梁２４０から突出した梁主筋４２が、ＰＣ部材２３０に定着されると共に、ＰＣ部材２３０に埋設された梁主筋２４２とスリーブ継手２４６により継手される。また、ＰＣ部材２３０と図中右側のＰＣ梁２４０とが接合される。
【００６５】
そして、上階のＰＣ柱２２０とその下のＰＣ部材２３０とを次のような方法で接合する。なお、上階のＰＣ柱２２０の下のＰＣ部材２３０では、柱主筋孔２３４の上端までグラウトが充填されており、該ＰＣ部材２３０の柱主筋孔２３４に挿入されている柱主筋２２は、該ＰＣ部材２３０に定着されている。
【００６６】
上階のＰＣ柱２２０とその下のＰＣ部材２３０との間の目地に連通されたグラウト注入口から、該目地にグラウトを圧入し、該目地、その上のスリーブ継手２６及び柱主筋孔２４にグラウトを充填して硬化させる。これにより、柱主筋２２が、上階のＰＣ柱２２０に定着されると共に、その下のＰＣ部材２３０に定着された柱主筋２２と、ＰＣ柱２２０の下端のスリーブ継手２６により継手される。また、上階のＰＣ柱２２０とその下のＰＣ部材２３０とが接合される。なお、上階のＰＣ柱２２０とその上のＰＣ部材２３０とは、該ＰＣ部材２３０の上にさらにＰＣ柱２２０を建て込んだ後に、上述した方法により接合する。
【００６７】
以上、本実施形態に係るＰＣ部材の接合方法では、ＰＣ柱２２０と、その上に建て込むＰＣ部材２３０とに、柱主筋２２を挿入するための縦方向の貫通孔である柱主筋孔２４、２３４と、柱主筋２２を継手するためのスリーブ継手２６、２３６とを設け、ＰＣ部材２３０とＰＣ柱２２０とを上下に組み合わせる。この際、柱主筋２２を、ＰＣ柱２２０のスリーブ継手２６内に下端が位置し、ＰＣ部材２３０のスリーブ継手２３６内に上端が位置するように、ＰＣ柱２２０のスリーブ継手２６とＰＣ部材２３０のスリーブ継手２３６との間の柱主筋孔２４に挿通させる。そして、ＰＣ柱２０のスリーブ継手２６と、柱主筋２２を挿通させた柱主筋孔２４とにグラウトを充填して硬化させる。
【００６８】
ここで、ＰＣ部材２３０を建て込む際、ＰＣ柱２２０の上端面から柱主筋２２が突出していないため、ＰＣ部材２３０を横方向にスライドさせて、ＰＣ部材２３０から横方向に突出した梁主筋２４２をＰＣ梁２４０のスリーブ継手４６に挿入することができる。これによって、現場でコンクリートを打設することなく、上下のＰＣ柱２２０とＰＣ梁２４０とを、仕口部２３０Ａを有するＰＣ部材２３０を介して接合することができる。
【００６９】
また、本実施形態に係るＰＣ部材の接合方法では、ＰＣ柱２２０、ＰＣ部材２３０の下端（下部）にスリーブ継手２６、２３６を埋設している。このため、ＰＣ柱２２０の柱主筋孔２４の上端までグラウトを充填すればよく、ＰＣ柱２２０の上端面にグラウトが出てくるまでグラウトの充填を続ければよいことから、その作業は容易である。
【００７０】
なお、スリーブ継手２６、２３６は、ＰＣ柱２２０、ＰＣ部材２３０の上端（上部）に埋設してもよい。この場合、柱主筋２２を、柱主筋孔２４、２３４に挿入する作業が容易になる等の効果を得ることができる。
【００７１】
図９は、他の実施形態に係るＰＣ部材の接合方法を用いて構築された架構３００を示す分解立面断面図である。また、図１０は、架構３００を示す立面断面図である。なお、架構３００において、上述の各実施形態に係る架構と同様の構成には同一の符号を付し、説明は省略する。
【００７２】
架構３００は、上下のＰＣ柱２２０の間に配されるＰＣ仕口部３３０を備えている。ＰＣ仕口部３３０には、接続用鉄筋３３１が埋設されている。この接続用鉄筋３３１の一端側はＰＣ仕口部３３０の側面から突出している。また、ＰＣ仕口部３３０は、鉛直方向に貫通する柱主筋孔３３４が形成されている。なお、柱主筋孔３３４にはシース管が埋設されているが必須ではない。
【００７３】
ＰＣ仕口部３３０とＰＣ梁４０とは、ＰＣ仕口部３３０から突出する梁主筋３３１が、ＰＣ梁４０のスリーブ継手４６に挿入された状態で組み合わされる。また、ＰＣ仕口部３３０とＰＣ梁４０との目地、ＰＣ梁４０の梁主筋孔４４及びスリーブ継手４６にグラウトが充填されている。これにより、ＰＣ仕口部３３０から突出した梁主筋３３１が、ＰＣ梁４０に定着されると共に、ＰＣ梁４０に埋設された梁主筋４２と継手されている。また、ＰＣ仕口部３３０とＰＣ梁４０とが接合されている。
【００７４】
また、上下のＰＣ柱２２０とその間のＰＣ仕口部３３０とは、柱主筋３２２が、ＰＣ仕口部３３０の柱主筋孔３３４、下階のＰＣ柱２２０の柱主筋孔２４に挿通された状態で組み合わされている。ここで、梁主筋３２２の上端は、上階のＰＣ柱２２０のスリーブ継手２６内に位置し、梁主筋３２２の下端は、下階のＰＣ柱２２０のスリーブ継手２６内に位置している。
【００７５】
また、下階のＰＣ柱２２０とその上下のＰＣ仕口部３３０との間の目地、下階のＰＣ柱２２０のスリーブ継手２６、その上の貫通孔２４、及びＰＣ仕口部３３０の貫通孔３３４にグラウトが充填されている。これにより、柱主筋３２２が、下階のＰＣ柱２２０とその上のＰＣ仕口部３３０とに定着されている。また、下階のＰＣ柱２２０及びその上のＰＣ仕口部３３０に定着された柱主筋３２２と、その下の柱主筋３２２とが、下階のＰＣ柱２２０の下端のスリーブ継手２６により継手されている。また、下階のＰＣ柱２２０とその上下のＰＣ仕口部３３０とが接合されている。
【００７６】
以上のような構成の架構３００におけるＰＣ仕口部３３０とＰＣ梁４０と上下階のＰＣ柱２２０との接合方法について説明する。図９に示すように、ＰＣ梁４０及び下階のＰＣ柱２２０を建て込んだ後、ＰＣ仕口部３３０を下階のＰＣ柱２２０の上に建て込み、上階のＰＣ柱２２０を、建て込み済みのＰＣ仕口部３３０の上に建て込む。
【００７７】
この際、下階のＰＣ柱２２０の柱主筋孔２４に柱主筋３２２を挿入していない状態で、ＰＣ仕口部３３０を水平方向にスライドさせ、その側面から突出した接続用鉄筋３３１を、ＰＣ梁４０の梁主筋孔４４に貫通させて、その奥側のスリーブ継手４６に挿入する。
【００７８】
そして、柱主筋３２２を、上階のＰＣ柱２２０の柱主筋孔２４を通して、ＰＣ仕口部３３０の柱主筋孔３２４、下階のＰＣ柱２２０の柱主筋孔２４に挿し込む。この際、柱主筋３２２の下端を、下階のＰＣ柱２２０の下端のスリーブ継手２６内に配置し、柱主筋３２２の上端を、ＰＣ仕口部３３０から突出させて上階のＰＣ柱２２０の下端のスリーブ継手２６内に配置する。
【００７９】
次に、ＰＣ仕口部３３０とＰＣ梁４０と上下のＰＣ柱２２０とを接合する。ＰＣ仕口部３３０とＰＣ梁４０との接合方法は次のとおりである。ＰＣ仕口部３３０とＰＣ梁４０との間の目地の外周をシールした状態で、ＰＣ梁４０のスリーブ継手４６に連通されたグラウト注入口からスリーブ継手４６にグラウトを圧入し、スリーブ継手４６、梁主筋孔４４及び部材間の目地にグラウトを充填して硬化させる。これにより、ＰＣ仕口部３３０から突出した接続用鉄筋３３１が、ＰＣ梁４０に定着されると共に、ＰＣ梁４０に埋設された梁主筋４２と継手される。また、ＰＣ仕口部３３０とＰＣ梁４０とが接合される。
【００８０】
そして、下階のＰＣ柱２２０とその上下のＰＣ部材３３０との接合方法は次のとおりである。なお、下階のＰＣ柱２２０の下のＰＣ仕口部３３０では、柱主筋孔３２４の上端までグラウトが充填されており、該ＰＣ部材３３０の柱主筋孔３２４に挿入されている柱主筋３２２は、該ＰＣ仕口３３０に定着されている。
【００８１】
下階のＰＣ柱２２０とその下のＰＣ仕口部３３０との間の目地に連通されたグラウト注入口から、該目地にグラウトを圧入し、該目地、その上のスリーブ継手２６、柱主筋孔２４、ＰＣ仕口部３３０と下階のＰＣ柱２２０との目地、及びその上の柱主筋孔３３４にグラウトを充填して硬化させる。これにより、柱主筋３２２が、下階のＰＣ柱２２０、その上のＰＣ仕口部３３０に定着される。また、柱主筋３２２と、その下の柱主筋３２２とが、下階のＰＣ柱２２０の下端のスリーブ継手２６により継手される。また、下階のＰＣ柱２２０とその上下のＰＣ仕口部３３０とが接合される。なお、上階のＰＣ仕口部２３０とその上のＰＣ柱２２０とは、上階のＰＣ柱２２０の上にさらにＰＣ仕口部３３０を建て込んだ後に、上述した方法により接合する。
【００８２】
以上、本実施形態に係るＰＣ部材の接合方法では、上下のＰＣ柱２２０に、柱主筋３２２を挿入するための縦方向の貫通孔である柱主筋孔２４と、柱主筋３２２を継手するためのスリーブ継手２６とを設け、ＰＣ仕口部３３０に、柱主筋３２２を挿通させるための縦方向の貫通孔である柱主筋孔３３４を設け、上下のＰＣ柱２２０とＰＣ梁４０とをＰＣ仕口部３３０を介して組み合わせる。この際、柱主筋３２２を、下階のＰＣ柱２２０のスリーブ継手２６内に下端が位置し、上階のＰＣ柱２３０のスリーブ継手２６内に上端が位置するように、下階のＰＣ柱２２０のスリーブ継手２６と上階のＰＣ柱２２０のスリーブ継手２６との間の柱主筋孔２４、３３４に挿通させる。そして、下階のＰＣ柱２２０のスリーブ継手２６と、その上の柱主筋孔２４、３３４とにグラウトを充填して硬化させる。
【００８３】
ここで、ＰＣ仕口部３３０を建て込む際、下階のＰＣ柱２２０の上端面から柱主筋３２２が突出していないため、ＰＣ仕口部３３０を横方向にスライドさせて、ＰＣ仕口部３３０から横方向に突出した接続用鉄筋３３１を、ＰＣ梁４０のスリーブ継手４６に挿入することができる。これによって、現場でコンクリートを打設することなく、上下のＰＣ柱２２０とＰＣ梁４０とを、ＰＣ仕口部３３０を介して接合することができる。
【００８４】
また、本実施形態に係るＰＣ部材の接合方法では、上下のＰＣ柱２２０の下端（下部）にスリーブ継手２６を埋設している。このため、ＰＣ仕口部３３０の柱主筋孔３３４の上端までグラウトを充填すればよく、ＰＣ仕口部３３０の上端面にグラウトが出てくるまでグラウトの充填を続ければよいことから、その作業は容易である。
【００８５】
なお、スリーブ継手２６は、ＰＣ柱２２０の上端（上部）に埋設してもよい。この場合、柱主筋３２２を、柱主筋孔２４に挿入する作業が容易になる等の効果を得ることができる。
【００８６】
図１１は、他の実施形態に係るＰＣ部材の接合方法を用いて構築された架構４００を示す分解立面断面図である。また、図１２は、架構４００を示す立面断面図である。なお、架構４００において、上述の各実施形態に係る架構と同様の構成には同一の符号を付し、説明は省略する。
【００８７】
架構４００は、上下のＰＣ柱２０の間に配されるＰＣ柱４２０を備えている。ＰＣ柱４２０は、鉛直方向に貫通する梁主筋孔４２４が形成されている。なお、柱主筋孔４２４にはシース管が埋設されているが必須ではない。
【００８８】
下階のＰＣ柱２０と上階のＰＣ柱４２０、２０とは、柱主筋４２２が、下階のＰＣ柱２０と上階のＰＣ柱４２０に挿通された状態で組み合わされている。ここで、柱主筋４２２の下端は、下階のＰＣ柱２０のスリーブ継手２６内に位置し、柱主筋４２２の上端は、上階のＰＣ柱２０のスリーブ継手２６内に位置している。
【００８９】
また、下階のＰＣ柱２０とその下のＰＣ柱４２０との間の目地、下階のＰＣ柱２０と上階のＰＣ柱４２０との間の目地、下階のＰＣ柱２０のスリーブ継手２６、柱主筋孔２４及び上階のＰＣ柱４２０の柱主筋孔４２４にグラウトが充填されている。これにより、柱主筋４２２が下階のＰＣ柱２０、上階のＰＣ柱４２０に定着されている。また、下階のＰＣ柱２０及び上階のＰＣ柱４２０に定着された柱主筋４２２と、その下のＰＣ柱２０、４２０に定着された柱主筋４２２とが、下階のＰＣ柱２０のスリーブ継手２６により継手されている。また、下階のＰＣ柱２０とその上下のＰＣ柱４２０とが接合されている。
【００９０】
以上のような構成の架構４００におけるＰＣ梁４０と上下階のＰＣ柱２０とその間のＰＣ柱４２０との接合方法について説明する。図１１に示すように、ＰＣ梁４０及び下階のＰＣ柱２０を建て込んだ後、ＰＣ柱４２０を下階のＰＣ柱２０の上に建て込み、上階のＰＣ柱２０を、建て込み済みの上階のＰＣ柱４２０の上に建て込む。
【００９１】
この際、下階のＰＣ柱２０の柱主筋孔２４に柱主筋４２２を挿入していない状態で、上階のＰＣ柱４２０を下階のＰＣ柱２０の上に建て込む。そして、上階のＰＣ柱２０を水平方向にスライドさせ、その側面から突出した接続用鉄筋２１を、上階のＰＣ梁４０の梁主筋孔４４に貫通させて、その奥側のスリーブ継手４６に挿入する。
【００９２】
そして、柱主筋４２２を、上階のＰＣ柱２０の柱主筋孔２４を通して、上階のＰＣ柱４２０の柱主筋孔４２４、下階のＰＣ柱２０の柱主筋孔２４に挿通させる。この際、柱主筋４２２の下端を、下階のＰＣ柱２２０の下端のスリーブ継手２６内に配置し、柱主筋４２２の上端を、ＰＣ柱４２０から突出させて上階のＰＣ柱２０の下端のスリーブ継手２６内に配置する。
【００９３】
次に、ＰＣ梁４０と上下のＰＣ柱２０とその間のＰＣ柱４２０とを接合する。ＰＣ梁４０とＰＣ柱２０との接合方法は、上述の実施形態に係る架構１０、１００と同様である。  そして、ＰＣ柱４２０と下階のＰＣ柱２０との接合方法は次のとおりである。なお、下階のＰＣ柱２０のさらに下のＰＣ柱４２０では、柱主筋孔４２４の上端までグラウトが充填されており、該ＰＣ柱４２０の柱主筋孔４２４に挿入されている柱主筋４２２は、該ＰＣ柱４２０に定着されている。
【００９４】
下階のＰＣ柱２０とその下のＰＣ柱４２０との間の目地に連通されたグラウト注入口から、該目地にグラウトを圧入し、該目地、その上のスリーブ継手２６、柱主筋孔２４、上階のＰＣ柱４２０と下階のＰＣ柱２０との間の目地、及びその上の柱主筋孔４２４にグラウトを充填して硬化させる。これにより、柱主筋４２２が、下階のＰＣ柱２０及び上階のＰＣ柱４２０に定着される。また、該柱主筋４２２とその下の柱主筋４２２とが、下階のＰＣ柱２０の下端のスリーブ継手２６により継手される。また、下階のＰＣ柱２０とその上下のＰＣ柱４２０とが接合される。なお、上階のＰＣ柱２０と上階のＰＣ柱４２０とは、上階のＰＣ柱２０の上にさらにＰＣ柱４２０を建て込んだ後に、上述した方法により接合する。
【００９５】
以上、本実施形態に係るＰＣ部材の接合方法では、上下のＰＣ柱２０に、柱主筋４２２を挿通させるための縦方向の貫通孔である柱主筋孔２４と、柱主筋４２２を継手するためのスリーブ継手２６とを設け、ＰＣ柱４２０に、柱主筋４２２を挿通させるための縦方向の貫通孔である柱主筋孔４２４を設け、上下のＰＣ柱２０を、ＰＣ柱４２０を介して組み合わせる。この際、柱主筋４２２を、下階のＰＣ柱２０のスリーブ継手２６内に下端が位置し、上階のＰＣ柱２０のスリーブ継手２６内に上端が位置するように、下階のＰＣ柱２０のスリーブ継手２６と上階のＰＣ柱２０のスリーブ継手２６との間の柱主筋孔２４、４２４に挿通させる。そして、下階のＰＣ柱２０のスリーブ継手２６と、その上の柱主筋孔２４、４２４とにグラウトを充填して硬化させる。
【００９６】
ここで、上階のＰＣ柱２０を建て込む際、上階のＰＣ柱４２０の上端面から柱主筋４２２が突出していないため、上階のＰＣ柱２０を横方向にスライドさせて、ＰＣ柱２０から横方向に突出した接続用鉄筋２１を、ＰＣ梁４０のスリーブ継手４６に挿入することができる。これによって、現場でコンクリートを打設することなく、上下階のＰＣ柱２０とＰＣ梁４０とを接合することができる。
【００９７】
以上、上記各実施形態を例に挙げて説明したように、本発明に係るＰＣ部材の接合方法によれば、梁が接合される上下階のＰＣ柱同士を直接接合したり、仕口部、柱部、及び梁部を有し、梁が接合される上下階のＰＣ部材同士を、ＰＣ柱を介して接合したり、上下階のＰＣ柱同士を、梁が接合されるＰＣ仕口部を介して接合したり、梁が接合される上下階のＰＣ柱同士を、ＰＣ柱を介して接合したりする等、架構の構成を多様化できる。従って、本発明に係るＰＣ部材の接合方法によれば、現場でのコンクリート打設を不要にできると共に、架構の構成の自由度を高めることができる。
【００９８】
なお、上記各実施形態では、接続用鉄筋や梁主筋を、ＰＣ梁と接合されるＰＣ柱やＰＣ部材からＰＣ梁側へ突出させ、ＰＣ梁にスリーブ継手を埋設したが、梁主筋をＰＣ梁からＰＣ柱やＰＣ部材側へ突出させ、ＰＣ柱やＰＣ部材にスリーブ継手を埋設してもよい。また、ＰＣ柱やＰＣ部材に接続用鉄筋を挿通させるための貫通孔を形成し、ＰＣ柱やＰＣ部材をＰＣ梁の側方に建て込んだ後に、接続用鉄筋を、該貫通孔を通してＰＣ梁のスリーブ継手に挿し込む等してもよい。この場合、接続用鉄筋とＰＣ梁の梁主筋とを、ネジ式の機械式継手により継手する等してもよい。
【符号の説明】
【００９９】
１０  架構、２０  ＰＣ柱（第１ＰＣ部材、第２ＰＣ部材）、２１  接続用鉄筋、２２  柱主筋、２４  柱主筋孔（貫通孔）、２６  スリーブ継手（モルタルを充填するスリーブ式の機械式継手）、２９  目地、３０  ＰＣ柱、３２  柱主筋、３４  梁主筋孔（貫通孔）、３６  スリーブ継手、４０  ＰＣ梁（梁部）、４２  梁主筋、４４  梁主筋孔、４６  スリーブ継手、４９  目地、１００  架構、１２０  ＰＣ柱（第１ＰＣ部材、第２ＰＣ部材）、１２６  スリーブ継手（モルタルを充填するスリーブ式の機械式継手）、２００  架構、２２０  ＰＣ柱（第１ＰＣ部材）、２３０  ＰＣ部材（第２ＰＣ部材）、２３０Ａ  仕口部、２３０Ｂ,Ｃ  柱部、２３０Ｄ,Ｅ  梁部、２３４  柱主筋孔（貫通孔）、２３６  スリーブ継手（モルタルを充填するスリーブ式の機械式継手）、２４０  ＰＣ梁（梁部）、２４２  梁主筋、２４４  梁主筋孔、２４６  スリーブ継手、３００  架構、３２２  柱主筋、３３０  ＰＣ仕口部（第２ＰＣ部材）、３３１  接続用鉄筋、３３４  柱主筋孔（貫通孔）、４００  架構、４２０  ＰＣ柱（第３ＰＣ部材）、４２２  柱主筋、４２４  柱主筋孔（貫通孔）
【図１】
0005640584.tif 000002
【図２】
0005640584.tif 000003
【図３】
0005640584.tif 000004
【図４】
0005640584.tif 000005
【図５】
0005640584.tif 000006
【図６】
0005640584.tif 000007
【図７】
0005640584.tif 000008
【図８】
0005640584.tif 000009
【図９】
0005640584.tif 000010
【図１０】
0005640584.tif 000011
【図１１】
0005640584.tif 000012
【図１２】
0005640584.tif 000013